(57)【要約】      （修正有）【課題】目盛り線に寸法の印を読み取る時、１ミリ毎に点線と実線を交互に並ぶ目盛り線は違う線を見分けられる様に、２ミリ間隔にその広い幅が測り易くて寸法の印を直読読み取る物差しを提供する。【解決手段】透明板の定規本体左右の両端に刻まれた２ミリごとに奇数寸法平行線と、もう一方に偶数寸法平行線を形成すると共に、０．５ミリ芯の太さを０．２５ミリ削る為の側面を奇数の端と穴アキの偶数の端に施し、１０ミリごとの間の中に違う線が見分ける為に２ミリごとに交互に並ぶ点線と実線３が表示され、黒色１色の目盛平行線を刻み、１０ミリごとの平行線に所々の小さい黒丸５と数値が表示され、２ミリごとの中でサイドとセンターの短い線に０．５ミリ単位が表示され、穴アキの下段に物差しで１ミリごとに交互に並ぶ奇数目盛の点線７と偶数目盛の実線８が表示される。【選択図】図２
0003235468.tif 000002
【実用新案登録請求の範囲】
【請求項１】
定規全面は左右の両端に奇数寸法及び偶数寸法の平行線がそれぞれ刻まれて、１０ミリ毎の奇数寸法と偶数寸法に黒丸の印を所々に付した、２ミリ毎に寸法の平行線を設けて、寸法を使い分ける際、寸法ある左端で引いたり、右端の寸法の場合、右端から左側のほうに回して動かして引いたり、左端の定規で測っている寸法で引いた線と切れ端に合わせた基準線までの寸法で直接素早く引く事が楽に短縮で出来上がることを特徴する定規。
【請求項２】
請求項１記載の定規において前記奇数寸法の平行線及び偶数寸法の平行線は１０ミリ間隔で前記４本の平行線は交互に並ぶ点線と実線で平行線に間違って斜線を引かない様に目印され、それぞれ配置される事を特徴する定規。
【請求項３】
請求項１又は２前記の定規において１ミリ毎に点線と実線を交互に並び、２ミリ毎の奇数目盛り線に点線、２ミリ毎の偶数目盛り線に実線、さらに１０ミリ毎の偶数目盛り線に１つ黒丸（５、１５、２５ミリ以上）１０ミリ毎の偶数目盛り線に２つ黒丸（１０、２０、３０ミリ以上）設けている。何本に決める寸法の印をつける時、違う線で２ミリ間隔にその広い幅が区別に見えるように、細かい目盛り線を読まなくても直読読み取る事を特徴する物差し。
【考案の詳細な説明】
【技術分野】
【０００１】本考案は幾本に寸法平行線を直接引く定規及び何本に寸法の印を読み取る目盛に関する。
【背景技術】
【０００２】  物差しで測る寸法の印を取る時、両端に２ヵ所以上引かねばならず時間と手間が掛る。１ミリ毎と赤線の１０ミリ毎に平行線を付した定規は見づらい。そこで例えば特許文献１（実用新案登録第３０２８９４号広報）に記載されているように２ミリ毎に平行線が良いので、奇数と偶数をそれぞれ分けてその寸法を付した定規が提案されている。２ミリ毎及び１０ミリ毎の赤線は測っている左端の寸法に平行線すると寸法の印を取らず短時間で楽に出来上がる様になっていた。目の疲労度と疲れた体が良くなっていた。物差しの通常では５、１０、１５ミリ以上を記載されている数値に寸法の印がすぐ取れる。しかし記載されていない１から４まで６から以上目盛り線を読み取る時、１ミリ毎に１ミリ間隔の幅が狭い目盛り線は何本に目を通して１つ１つすると読み難い、読み違い遅く掛る。
【先行技術文献】
【特許文献】
【０００３】
【特許文献１】実用新案登録第３０２８９４号広報
【考案の概要】
【考案が解決しようとする課題】
【０００４】  従来、物差しで両端に測る寸法の印を付ける２ヵ所以上、直定規で平行線を引く時間と手間が掛る作業を行っていた。疲労度と時間が掛る欠点を解決しようとするものである。及び物差しで何本に決める寸法の印を取る時、１ミリ毎に１ミリの幅が狭い目盛り線を１つ１つスムーズに早く読み取れない事が欠点を解決しようとするものである。
【課題を解決するための手段】
【０００５】  本考案は定規本体に左右の両端に奇数寸法や偶数寸法を刻んだ物を設けている。左端の寸法に合わせる時、奇数寸法及び偶数寸法で直接素早く引く、右端の場合、左側のほうに右端から回して動かしたりして線引きする。物差しとデバイダーと目盛ある方眼線用紙で測る寸法の印が面倒な為に不要になるので、定規では寸法を使い分ける際、寸法の印を取らず測っている左側の寸法で引いた線と切れ端に合わせた基準線までの寸法で正確に直接寸法の平行線を素早く引く、又は交互に並ぶ点線と実線は違う線で間違って斜線を引かない様に、明確に寸法の平行線を線引き、作図の時、時間を短縮され、疲労度が少なく能率的に出来る事より問題を解決する。
【考案の効果】
【０００６】  物差しとデバイダーと方眼線用紙など、寸法の印を付ける事が不要となる様にする為に作図が短縮に出来上がる。一本の定規では寸法の印を取らず測っている左側の寸法で直接素早く平行線を引く事が出来上がる様になった。左右の端に寸法を使い分ける際、寸法ある左側に寸法を合わせて引いたり、右端の場合、左側のほうに右端から回して動かして直直接素早く寸法で引く事が出来る。定規内では２ミリ毎の平行線でその２ミリ幅が見え易くて短時間で測り合わせ易い事が出来る。さらに１０ミリ毎の黒丸に１０ミリ間隔の中で２ミリ毎に交互に並ぶ点線と実線は間違って斜線を引かない様に明確に平行線を楽にスムーズに素早く引く事が出来る。カッティングの場合、切る前に鉛筆の線を引かず名刺など、入る字面のアキと切れ端に合わせた基準線までの寸法でカッターで直接素早く平行線に切る事が出来る。２ミリ毎なのに１ミリの平行線を引く事が出来る。下端の物差しでは１ミリ毎に交互に並ぶ点線と実線が違う線を見分けられる様に直読素早く読み取る事が出来る。及び１０ミリ毎の奇数目盛り線に１つ黒丸の印、１０ミリ毎の偶数目盛り線に２つ黒丸の印が入っているので、数字を読まなくても分かり易い事が出来る。
【図面の簡単な説明】
【０００７】
【図１】それぞれ一実施の形態による目盛り線を付した定規及び一部を拡大して示す平面図である。
【図２】一実施の形態による定規の使用態様を説明する図である。
【考案を実施するための形態】
【０００８】  図形デザインを製作する際、図案と文字の大きさと位置に寸法通り直接素早く鉛筆で引いた線に基準線までの寸法で平行線を引いたりする。大きさとアキとケイの幅に寸法が一定揃えられて描けると大変便利である。文字の長体はマス目を作る時、縦の寸法に１７ミリの７本と、横の寸法に１２ミリの７本で測っている左側の寸法で平行線を直接素早く線引きする。平体と斜体の寸法が描ける。目盛り線では２ミリ毎の奇数目盛り線に点線や２ミリ毎の偶数目盛り線に実線が付された。１ミリ毎に交互に並ぶ点線と実線が違う線で見分けられる様に細かい目盛り線を数えなくても寸法の印を直読読み取る。さらに１０ミリ毎の奇数目盛り線に１つ黒丸の印、１０ミリ毎の偶数目盛り線に２つ黒丸が入っているので、読み取る易くなる。
【実施例】
【０００９】  図１及び図２に示すように定規では左右の両端に奇数寸法及び偶数寸法をそれぞれ設置している。２ミリ毎に平行線が明確に引ける様に点線と実線を交互に配置している。違う線で見分けられるので、素早く引ける。目盛り線では２ミリ毎の奇数目盛り線に点線や２ミリ毎の偶数目盛り線に実線と１０ミリ毎の奇数目盛り線に１つ黒丸や１０ミリ毎の偶数目盛り線に２つ黒丸を配置している。
【符号の説明】
【００１０】１  奇数寸法を表示する目印
２  偶数寸法を表示する目印
３  ２ミリ毎の４本に点線と実線を交互に並ぶ
４  短い線に０．５ミリ毎の間隔
５  １０ミリ毎に黒線と黒丸を所々
６  下端に目盛り線の上と下
７  ２ミリ毎の奇数目盛り線に点線
８  ２ミリ毎の偶数目盛り線に実線
９  １０ミリ毎の奇数目盛り線に１つ黒丸の印（５、１５、２５ミリ以上）
１０  １０ミリ毎の偶数目盛り線に２つ黒丸の印（１０、２０、３０ミリ以上）
１１  穴あきは偶数寸法を合わせる時、寸法の平行線を引く為
【図１】
0003235468.tif 000003
【図２】
0003235468.tif 000004
【手続補正書】
【提出日】令和2年12月1日(2020.12.1)
【手続補正１】
【補正対象書類名】実用新案登録請求の範囲
【補正対象項目名】全文
【補正方法】変更
【補正の内容】
【実用新案登録請求の範囲】
【請求項１】
定規の全面は透明の板で全て一色の黒色平行線の２ミリ間隔ごとに並ぶ点線と実線が刻まれ、１０ミリごとの小さい黒丸の間に交互に並ぶ４本線では、奇数寸法の場合、２ミリごとに１本目に実線の７ミリ、下の２本目に点線の９ミリ、その下に３本目に実線の１１ミリ、その下の４本目に点線の１３ミリ以上を表示し、左端を軸に右端から回す偶数寸法の場合、２ミリごとに１本目に点線の２ミリ、下の２本目に実線４ミリ、その下の３本目に点線の６ミリ、その下の４本目に実線の８ミリ以上をその違う線が見分ける為に表示し、点線には２０ミリ幅の線と５ミリ幅の線なしで施し、点線が付された線のないところは、鉛筆で引いた線と切れ端の基準線が明確に見える為に定規の平行線で寸法の平行線を楽に直接素早く引く事を特徴とする奇数・偶数自在寸法平行線定規。
【請求項２】
前記、１０ミリ毎には両端とセンターに要する奇数と偶数の数値と小さい黒丸が付された寸法の前後を測り合わせる為に平行線を引く事を特徴とする奇数・偶数自在寸法平行線。
【請求項３】
前記、左端に奇数目盛及び寸法と、もう一方右端に偶数目盛及び寸法を設けて、上端と下端は鉛筆の細い芯の太さの為に０．２５ミリの幅を削る事により正確な寸法を描き、両側辺とセンターの縦には短い線の目盛で０．５ミリ単位の寸法を示す、上端から下端までの５５ミリを設けて、両端の左右に奇数目盛及び寸法や偶数目盛及び寸法では測っている左端で寸法を測り合わせて引く事を特徴とする奇数・偶数自在寸法平行線定規。
【請求項４】
定規の下側辺では交互に並ぶ１ミリの点線、次に２ミリ実線、その次に３ミリ点線、その次に４ミリ実線が刻まれ、奇数目盛り線の点線の場合には２ミリごとに１ミリ、３ミリ、５ミリ、７ミリ、９ミリ以上、偶数目盛り線の実線の場合には２ミリごとに２ミリ、４ミリ、６ミリ、８ミリ以上、さらに１０ミリごとに奇数目盛り線の場合には点線を付した点線の中に１つ黒丸で５ミリ、１５ミリ、２５ミリ、以上、１０ミリごとに偶数目盛り線の場合には実線を付した実線の中に２つ黒丸で１０ミリ、２０ミリ、３０ミリ以上を表示して、何本に目標数値に寸法の印を直接素早く読み取る事を特徴する直読物差し。
【請求項５】
穴あき長方形の定規では偶数寸法を合わせる時に鉛筆で平行線を引く事を目的に用いる。物差しでは穴あきでなくて定規と形成しない場合、別々物差しだけ可能する。
【手続補正書】
【提出日】令和3年3月2日(2021.3.2)
【手続補正１】
【補正対象書類名】実用新案登録請求の範囲
【補正対象項目名】全文
【補正方法】変更
【補正の内容】
【実用新案登録請求の範囲】
【請求項１】
定規全面は透明の板で２ミリごとに刻まれた一色黒線の平行線で左右の両端に奇数寸法と、もう一方偶数寸法が目盛測定を表示された定規で１０ミリごとに目盛線数値と黒丸の所々が付されているが１０ミリごとに定規の左端は数値に奇数寸法の場合、５、１５、２５ミリ以上、偶数寸法の場合、１０、２０ミリ以上を表示、１０ミリごとに実線の中に３０ミリ間隔ごとに黒丸が表示され、点線は線に２５ミリと線の無しに５ミリアキを繰り返し、縦に短い線の３ミリでは両側サイドとセンターに目盛の０．５ミリに単位の測定を示す、定規の上端と下端は０．１５ミリの幅を削っているので寸法を測っている左端の定規では寸法の目標数値を取って直接ラク線引きする事を特徴とする奇数寸法・偶数寸法穴アキ定規。
【請求項２】
１０ミリごと間隔の中には２ミリごとの４本に点線と実線と交互に並ぶ平行線が付された奇数寸法の場合、１本目の実線、２本目の点線、３本目の実線、４本目の点線、及び偶数寸法の場合、１本目の点線、２本目の実線、３本目の点線、４本目の実線を表示する事を特徴とする奇数寸法・偶数寸法穴アキ定規。
【請求項３】
定規の穴アキの下側では物差しで１ミリごとに点線と実線と交互に並ぶ２ミリごとの点線に奇数の目盛線、２ミリごとの実線に偶数の目盛線、及び１０ミリごとの点線を付した１つ黒丸は奇数の目盛線に５、１５、２５ミリ以上、１０ミリごとの実線に付した２つ黒丸は偶数の目盛線に１０、２０ミリ以上を表示、物差しの上端と下端に目盛線が付される事を特徴とする奇数点線・偶数実線直読物差し。
【請求項４】
穴アキの寸法で縦に１０ミリ、横に２００ミリするが自由に寸法が取れる穴アキ定規。
【請求項５】
奇数寸法・偶数寸法定規と物差しを一緒に組み合わせる事も可能な穴アキ定規ですがのみならず穴アキ無し定規で物差しだけする事を特徴とする奇数点線・偶数実線直読物差し。
【手続補正書】
【提出日】令和3年6月22日(2021.6.22)
【手続補正１】
【補正対象書類名】実用新案登録請求の範囲
【補正対象項目名】全文
【補正方法】変更
【補正の内容】
【実用新案登録請求の範囲】
【請求項１】
透明板の左右両端には黒色の一色、２ミリごとの平行線に奇数寸法と、反対側に偶数寸法を配置するとともに１０ミリの間の中に２ミリごとの交互に並ぶ点線と実線を設定し、寸法を測っている左端では奇数・偶数寸法を測り合わせる為に１０ミリごとの線に所々の小さい黒丸と数値を設けている事を特徴とする奇数・偶数寸法平行穴アキ定規。
【請求項２】
物差しは定規の下段では１ミリごとに交互に並ぶ点線と実線を配置し、２ミリごとに奇数目盛線に点線と、２ミリごとに偶数目盛線に実線を設け、及び小さい黒丸が入る１０ミリごとに奇数目盛線は５ミリからの１つ黒丸と数値、偶数目盛線は１０ミリごとに１０ミリからの２つ黒丸と数値を設定することを特徴とする直読物差しと奇数・偶数目盛線穴アキ定規。
【請求項３】
定規で長方形に施された穴アキは線を引く為の偶数寸法や物差しの上辺と下辺を設ける事を特徴とする偶数・奇数寸法平行穴アキ定規。
【請求項４】
２ミリの中でサイドとセンターは０．５ミリ単位で短い線を配置する事を特徴とする奇数・偶数寸法穴アキ定規。
【手続補正書】
【提出日】令和3年9月8日(2021.9.8)
【手続補正１】
【補正対象書類名】実用新案登録請求の範囲
【補正対象項目名】全文
【補正方法】変更
【補正の内容】
【実用新案登録請求の範囲】
【請求項１】
透明板の定規本体左右の両端に刻まれた２ミリごとに奇数寸法平行線と、もう一方に偶数寸法平行線を形成すると共に０．５ミリ芯の太さを０．２５ミリ削る為の側面を奇数の端と穴アキの偶数の端に施し、１０ミリごとの間の中に違う線が見分ける為に２ミリごとに交互に並ぶ点線と実線が表示され、黒色１色の目盛平行線を刻む、１０ミリごとの平行線に所々の小さい黒丸と数値が表示され、２ミリごとの中でサイドとセンターの短い線に０．５ミリ単位が表示され、穴アキの下段に物差しで１ミリごとに交互に並ぶ奇数目盛の点線と偶数目盛の実線が表示される事を特徴とする奇数偶数寸法定規穴アキ兼用直読物差し。
【請求項２】
物差し本体に穴アキの下段のところ、長辺の両側に上辺と下辺の目盛が形成され、１ミリごとに交互に並ぶ点線と実線が表示され、２ミリごとに奇数目盛の点線と、２ミリごとに偶数目盛の実線を設ける及び、１０ミリごとに奇数目盛線の５ミリ、１５ミリ以上の１つ小さい黒丸と数値及び、１０ミリごとに偶数目盛線の１０ミリ、２０ミリ以上の２つ小さい黒丸と数値を設定する事を特徴とする奇数偶数寸法定規穴アキ兼用直読物差し。
【請求項３】
偶数寸法の測面を引く為に、施された長方形の穴アキを設ける事を特徴とする奇数偶数寸法定規穴アキ兼用直読物差し。
【請求項４】
２種類で穴アキなしの場合、別々の物差しだけを請求項２に記載する目盛線を設ける直読物差しや、定規だけを請求項１を記載する寸法平行線を設ける奇数偶数寸法定規。